(57)【要約】【課題】  従来は、リモコン操作信号を受信するためだけに受信部が筐体表面に突出して設けられているため、筐体表面に配置することができる部材が制約され、スペース効率が悪かった。【解決手段】  リモコン７から無線送信された操作信号７ａは、撮影モードダイヤル６に設けられた導光部材２１により、カメラ筐体１ａ表面から突出する撮影モードダイヤル６の突出部分を介してカメラ筐体１ａ内部へ導かれ、受光素子２２によって受信される。このため、従来のデジタルカメラのように、リモコンから無線送信された操作信号を受信するためだけに、受信部を筐体表面に設けずに済む。従って、受信部を設けることによって生じる、カメラ筐体１ａ表面に配置することができる部材についての従来の制約はなくなり、カメラ筐体１ａ表面の限られたスペースを効率良く用いることができるようになる。【選択図】  図４
2012022058.tif 000002
【特許請求の範囲】
【請求項１】
筐体表面から突出する突出部分を有する操作部材と、
リモコンから無線送信された操作信号を前記操作部材の前記突出部分を介して前記筐体内部へ導く前記操作部材に設けられた信号伝播部材と、
前記信号伝播部材によって前記筐体の内部へ導かれた前記操作信号を受信する受信手段と
を備えた撮像装置。
【請求項２】
請求項１に記載の撮像装置において、
前記信号伝播部材は、前記突出部分の周囲にわたって設けられた前記操作信号が入射する入射面と、
前記操作信号を前記受信手段へ出射する前記筐体の内部に設けられた出射面と、
前記入射面から入射した前記操作信号を前記出射面に導く伝播部と
を備えることを特徴とする撮像装置。
【請求項３】
請求項２に記載の撮像装置において、
前記操作部材は、押下操作されると被写体像を撮像させるシャッターボタンであり、
前記信号伝播部材は、前記シャッターボタンが押下操作されていない状態において前記入射面が筐体表面から突出していることを特徴とする撮像装置。
【請求項４】
請求項２に記載の撮像装置において、
前記操作部材は、回動位置に応じた装置機能が選択される回動操作されるダイヤル操作部材であり、
前記信号伝播部材は、前記入射面が前記ダイヤル操作部材の回動軸周りに設けられ、
前記ダイヤル操作部材は、前記信号伝播部材の前記入射面を筐体表面から突出させる突出位置および筐体表面から突出させない非突出位置に上下動自在に構成されていることを特徴とする撮像装置。
【請求項５】
請求項４に記載の撮像装置において、
前記ダイヤル操作部材の前記突出位置および前記非突出位置を検出する上下位置検出手段と、
前記ダイヤル操作部材の回動位置を検出する回動位置検出手段と、
前記回動位置検出手段によって前記ダイヤル操作部材が所定の回動位置に回動操作されていることが検出されると前記ダイヤル操作部材を前記突出位置に上げて前記信号伝播部材の前記入射面を筐体表面から突出させる押上手段と
を備えていることを特徴とする撮像装置。
【請求項６】
請求項５に記載の撮像装置において、
前記上下位置検出手段によって前記ダイヤル操作部材が前記非突出位置にあることが検出されると前記ダイヤル操作部材の回動位置に応じた装置機能を選択させ、前記上下位置検出手段によって前記ダイヤル操作部材が前記突出位置にあることが検出されると前記ダイヤル操作部材の回動位置に応じたリモコン機能を選択させるダイヤル機能切換手段を備えたことを特徴とする撮像装置。
【請求項７】
請求項４から請求項６のいずれか１項に記載の撮像装置において、
前記受信手段による前記操作信号の受信を許容する待機時間を設定する待機時間設定手段と、
前記待機時間設定手段によって設定された前記待機時間が経過すると前記ダイヤル操作部材を前記非突出位置に下げて前記信号伝播部材の前記入射面を筐体表面から突出させなくする駆動手段と
を備えていることを特徴とする撮像装置。
【発明の詳細な説明】
【技術分野】
【０００１】
本発明は、リモコンから無線送信された操作信号を受信する受信手段を備えた撮像装置に関するものである。
【背景技術】
【０００２】
従来、このような撮像装置としては、例えば、特許文献１に実施の形態３として開示されたデジタルカメラがある。このデジタルカメラには、全水平方向からのリモコン操作信号の受光が可能な全方向受信部が筐体の上面に突出して設けられている。この全方向受信部は、入力されるリモコン操作信号を反射する反射面を備えた反射部、光拡散面を備えた受光プリズム、およびリモコン操作信号を感知する受光センサーから構成されている。リモコン操作信号は、受光プリズムに入射すると反射部の反射面によって受光センサーが備えられている方向に反射され、受光プリズムの光拡散面から出射されて受光センサーに感知される。
【先行技術文献】
【特許文献】
【０００３】
【特許文献１】特開平１１−５５７６８号公報
【発明の概要】
【発明が解決しようとする課題】
【０００４】
しかしながら、上記従来のデジタルカメラは、リモコン操作信号を受信するためだけに受信部を筐体表面に突出させて設けているため、筐体表面に配置することができる部材が制約され、スペース効率が悪かった。また、受信部を用いたリモコン操作を行うか否かを切り換える切換手段として、例えば、切換ボタンやメニュー操作項目などを設ける必要もあった。
【課題を解決するための手段】
【０００５】
本発明はこのような課題を解決するためになされたもので、
筐体表面から突出する突出部分を有する操作部材と、
リモコンから無線送信された操作信号を操作部材の突出部分を介して筐体内部へ導く操作部材に設けられた信号伝播部材と、
信号伝播部材によって筐体の内部へ導かれた操作信号を受信する受信手段と
を備えて、撮像装置を構成した。
【０００６】
この構成によれば、リモコンから無線送信された操作信号は、操作部材に設けられた信号伝播部材により、筐体表面から突出する操作部材の突出部分を介して筐体内部へ導かれ、受信手段によって受信される。このため、従来の撮像装置のように、リモコンから無線送信された操作信号を受信するためだけに、受信部を筐体表面に設けずに済む。従って、受信部を設けることによって生じる、筐体表面に配置することができる部材についての従来の制約はなくなり、筐体表面の限られたスペースを効率良く用いることができるようになる。
【０００７】
また、本発明は、信号伝播部材が、突出部分の周囲にわたって設けられた操作信号が入射する入射面と、
操作信号を受信手段へ出射する筐体の内部に設けられた出射面と、
入射面から入射した操作信号を出射面に導く伝播部と
を備えることを特徴とする。
【０００８】
この構成によれば、操作部材の突出部分周囲にわたって設けられた入射面から入射した操作信号は、伝播部によって筐体の内部に設けられた出射面に導かれ、出射面から受信手段へ出射される。このため、筐体の周囲の任意の方向から入射される操作信号が信号伝播部材の入射面を介して伝播部に導かれ、筐体内部の受信手段で受信される。従って、撮影者を含む集合写真撮影時などに撮像装置の前面側から入射される操作信号のみならず、マクロ撮影時などに撮像装置の背面側や左右両側から入射される操作信号なども受信できる。
【０００９】
また、本発明は、操作部材が、押下操作されると被写体像を撮像させるシャッターボタンであり、
信号伝播部材が、シャッターボタンが押下操作されていない状態において入射面が筐体表面から突出していることを特徴とする。
【００１０】
この構成によれば、シャッターボタンにリモコンの操作信号を受信する信号伝播部材が設けられているため、リモコンによる撮像操作が常時行える。従って、リモコンによる操作を行うか否かを切り換える、例えば切換ボタンやメニュー操作項目などの切換手段を設ける必要がなくなり、少ない機器構成要素でリモコンの操作信号を受信することができる。
【００１１】
また、本発明は、操作部材が、回動位置に応じた装置機能が選択される回動操作されるダイヤル操作部材であり、
信号伝播部材が、入射面がダイヤル操作部材の回動軸周りに設けられ、
ダイヤル操作部材が、信号伝播部材の入射面を筐体表面から突出させる突出位置および筐体表面から突出させない非突出位置に上下動自在に構成されていることを特徴とする。
【００１２】
この構成によれば、ダイヤル操作部材が、信号伝播部材の入射面を筐体表面から突出させる突出位置および筐体表面から突出させない非突出位置に上下動自在に構成されているため、信号伝播部材を上下動させて入射面を突出位置または非突出位置に移動させるだけで、リモコンによる操作を行うか否かが切り換えられる。従って、本構成においても、リモコンによる操作を行うか否かを切り換える切換手段を設けることなく、少ない機器構成要素でリモコンの操作信号を受信することができる。
【００１３】
また、本発明は、ダイヤル操作部材の突出位置および非突出位置を検出する上下位置検出手段と、
ダイヤル操作部材の回動位置を検出する回動位置検出手段と、
回動位置検出手段によってダイヤル操作部材が所定の回動位置に回動操作されていることが検出されるとダイヤル操作部材を突出位置に上げて信号伝播部材の入射面を筐体表面から突出させる押上手段と
を備えていることを特徴とする。
【００１４】
この構成によれば、回動位置検出手段によってダイヤル操作部材が所定の回動位置に回動操作されていることが検出されると、押上手段によってダイヤル操作部材が突出位置に上げられて信号伝播部材の入射面が筐体表面から突出させられる。このため、ダイヤル操作部材を回動操作させるだけでリモコンによる操作が行える状態に切り換えられ、利便性が向上する。
【００１５】
また、本発明は、上下位置検出手段によってダイヤル操作部材が非突出位置にあることが検出されるとダイヤル操作部材の回動位置に応じた装置機能を選択させ、上下位置検出手段によってダイヤル操作部材が突出位置にあることが検出されるとダイヤル操作部材の回動位置に応じたリモコン機能を選択させるダイヤル機能切換手段を備えたことを特徴とする。
【００１６】
この構成によれば、上下位置検出手段によってダイヤル操作部材が非突出位置にあることが検出されると、ダイヤル機能切換手段によってダイヤル操作部材の回動位置に応じた装置機能が選択され、上下位置検出手段によってダイヤル操作部材が突出位置にあることが検出されると、ダイヤル機能切換手段によってダイヤル操作部材の回動位置に応じたリモコン機能が選択される。このため、ダイヤル操作部材の突出位置または非突出位置に応じてダイヤル操作部材の機能が切り換えられ、ダイヤル操作部材の付加価値を高めることができる。
【００１７】
また、本発明は、受信手段による操作信号の受信を許容する待機時間を設定する待機時間設定手段と、
待機時間設定手段によって設定された待機時間が経過するとダイヤル操作部材を非突出位置に下げて信号伝播部材の入射面を筐体表面から突出させなくする駆動手段と
を備えていることを特徴とする。
【００１８】
この構成によれば、待機時間設定手段によって設定された待機時間が経過すると、駆動手段によってダイヤル操作部材が非突出位置に下げられ、信号伝播部材の入射面が筐体表面から突出しなくなる。このため、ダイヤル操作部材をリモコンからの操作信号を受信する突出位置からリモコンからの操作信号を受信しない非突出位置に戻す、ダイヤル操作部材の戻し忘れを防止することができる。
【発明の効果】
【００１９】
本発明によれば、上記のように、リモコンの操作信号の受信部を設けることによって生じる、筐体表面に配置することができる部材についての従来の制約はなくなり、筐体表面の限られたスペースを効率良く用いることができるようになる。
【図面の簡単な説明】
【００２０】
【図１】本発明の一実施形態によるデジタルカメラの外観を示す正面斜視図である。
【図２】図１に示すデジタルカメラの平面図である。
【図３】図２に示す撮影モードダイヤルの一部拡大平面図である。
【図４】図２に示す撮影モードダイヤルの断面図である。
【図５】（ａ）は図４に示す導光部材の断面図、（ｂ）はその側面図である。
【図６】図１に示すデジタルカメラの電気回路構成の概略を示すブロック図である。
【図７】図１に示すデジタルカメラの変形例におけるシャッターボタンの断面図である。
【発明を実施するための形態】
【００２１】
次に、本発明による撮像装置をデジタルカメラに適用した一実施の形態について説明する。
【００２２】
図１は、この一実施の形態によるデジタルカメラ１の外観を示す正面斜視図であり、図２は、デジタルカメラ１の平面図である。
【００２３】
デジタルカメラ１のカメラ筐体１ａの正面中央部には、被写界からの光を撮像素子に導く光学レンズユニット２が設けられている。光学レンズユニット２の左上方には、ファインダ窓３が設けられており、反対側の右上方には、被写体照明装置４が設けられている。また、デジタルカメラ１の正面から見た上面左側には、押下操作されると被写体像を撮像させるシャッターボタン５が設けられており、反対側の上面右側には、撮影モードダイヤル６が設けられている。これらシャッターボタン５および撮影モードダイヤル６は、カメラ筐体１ａ表面から突出する突出部分を有する操作部材を構成している。
【００２４】
図３は、図２に示す撮影モードダイヤル６の一部拡大平面図である。なお、同図において図２に示す部分と同一部分には同一符号を付してその説明は省略する。
【００２５】
撮影モードダイヤル６は、回動位置に応じた装置機能が選択される、回動操作されるダイヤル操作部材を構成している。撮影モードダイヤル６が回動操作されて指標８ａに合わせられることで、種々の撮影シーンモードや、Ｐ（マルチプログラムオート），Ａ（絞り優先オート），Ｓ（シャッター優先オート），Ｍ（マニュアル）の基本露出モードが設定されると共に、リモコン７（図１参照）によるシャッター操作を行うＲ（リモコン）のリモコンモードが設定される。
【００２６】
図４は、図２のIV−IV線に沿って破断した撮影モードダイヤル６の矢視断面図である。
【００２７】
撮影モードダイヤル６は、軸Ｃを中心にして、ダイヤル部材１１、ブラシ押さえ部材１２、ブラシ接点１３、ダイヤル回転部止めビス１６、および基板またはＦＰＣ（フレキシブルプリントサーキット）１７から構成される。ブラシ接点１３には、第１のブラシ１４および第２のブラシ１５が形成されている。ダイヤル部材１１の裏側中心部には回動軸１１ａが設けられ、回動軸１１ａ周りには導光部材２１が設けられている。導光部材２１は、プラスチック樹脂などからなり、同図（ｂ）に示すようにカメラ筐体１ａ表面から突出する回動軸１１ａ周りの全周囲にわたって設けられた、操作信号７ａが入射する透過面または半透過面で形成された入射面２１ａと、操作信号７ａを受光素子２２へ出射するカメラ筐体１ａの内部に設けられた出射面２１ｂと、入射面２１ａから入射した操作信号７ａを出射面２１ｂに導く反射面で形成された伝播部２１ｃ、および反射面または拡散面で形成された伝播部２１ｄとから構成されている。透過面や半透過面、反射面、拡散面などは、導光部材２１の表面の研磨荒さや、反射材料の蒸着などの表面処理によって透過率および反射率が変えられて、形成される。
【００２８】
ダイヤル部材１１は、導光部材２１の入射面２１ａをカメラ筐体１ａ表面から突出させない同図（ａ）に示す非突出位置、およびカメラ筐体１ａ表面から突出させる同図（ｂ）に示す突出位置に、上下動自在に構成されている。導光部材２１は、図１に示すように、リモコン７から無線送信された赤外線からなる操作信号７ａを、ダイヤル部材１１の突出した回動軸１１ａ周りの入射面２１ａを介してカメラ筐体１ａ内部へ導く、撮影モードダイヤル６に設けられた信号伝播部材を構成している。受光素子２２は、導光部材２１によってカメラ筐体１ａの内部へ導かれた操作信号７ａを受信する受信手段を構成しており、カメラ筐体１ａ内部の光学レンズユニット２がある前面側に設けられている。導光部材２１は、ブラシ押さえ部材１２およびブラシ接点１３を介して、回動軸１１ａの下端部にダイヤル回転部止めビス１６が螺合されることにより、ダイヤル部材１１に取り付けられている。
【００２９】
また、ブラシ押さえ部材１２の下面には、第１のブラシ１４および第２のブラシ１５を備えた円弧状のブラシ接点１３が取り付けられている。第１のブラシ１４の接点は、ダイヤル部材１１が同図（ａ）に示す非突出位置にある状態では、基板またはＦＰＣ１７上に円弧状に形成された図示しない上下位置検出パターンと接触する。一方、ダイヤル部材１１が同図（ｂ）に示す突出位置にある状態では、上記上下位置検出パターンと接触しない。また、第２のブラシ１５の割けて設けられた２本の接点は、ダイヤル部材１１の突出位置または非突出位置に関わらず、その弾性により常時基板またはＦＰＣ１７上に円弧状に形成された図示しないダイヤル回転位置検出パターンと接触する。
【００３０】
図５（ａ）は、図４（ｂ）のV−V線に沿って破断した導光部材２１の矢視断面図であり、図５（ｂ）は、その側面図である。
【００３１】
同図（ａ）に示すように、導光部材２１は円筒状に形成されている。突出位置にある入射面２１ａから入射した操作信号７ａは、導光部材２１の入射面２１ａおよび出射面２１ｂを除く外周および内周の全周にわたって反射面または拡散面で形成された伝播部２１ｄ（図４（ｂ）参照）で反射を繰り返して、受光素子２２が設けられた位置と対面する外周の一部に設けられた出射面２１ｂから受光素子２２に出射される。このため、導光部材２１には、導光部材２１が回動することによって出射面２１ｂと受光素子２２との対向関係がズレないように、カメラ筐体１ａから突出して設けられたピンが挿入される孔２１ｅを有する周り止め部材２１ｆが設けられている。周り止め部材２１ｆは、同図（ｂ）に示すように、伝播部２１ｄを確保するために段差をつけて設けられている。
【００３２】
図６は、デジタルカメラ１の電気回路構成の概略を示すブロック図である。
【００３３】
デジタルカメラ１は、ＣＰＵ（Central Processing Unit）３１、ＥＥＰＲＯＭ（Electrically Erasable Programmable Read Only Memory）などで構成される不揮発性メモリ３２、およびＲＡＭ（Random Access Memory）などで構成されるバッファメモリ３３を備えている。不揮発性メモリ３２には、ＣＰＵ３１が種々の制御を行う際に参照される制御プログラムなどが格納されている。ＣＰＵ３１は、不揮発性メモリ３２に格納されている制御プログラムに従い、バッファメモリ３３を一時記憶作業領域として回路各部の制御を行い、デジタルカメラ１の種々の装置機能を作動させる。
【００３４】
被写体からの光は、光学系を構成する光学レンズユニット２を介してデジタルカメラ１内に取り込まれる。なお、光学レンズユニット２は、ズームレンズやフォーカスレンズを含む複数のレンズ群で構成されており、同図では１枚のレンズとして図示されている。デジタルカメラ１内に取り込まれた被写体光は、光学レンズユニット２の光軸上に配置された撮像部３５の撮像面３５ａ上に被写体像を投影する。撮像面３５ａには受光素子が２次元配列されている。撮像部３５は、ＣＣＤ（Charge Coupled Device）やＣＭＯＳ（Complementary Metal Oxide Semiconductor）などからなり、撮像部３５の撮像面３５ａ上に結像した被写体像を撮像し、アナログの撮像信号に変換する。撮像信号は、ＡＦＥ（アナログフロントエンド）回路３６によりゲイン調整が行われ、デジタル信号に変換される。
【００３５】
画像処理部３７は、ＡＦＥ回路３６でデジタル信号に変換された撮像信号を取得し、取得した撮像信号に対して、色補間処理、輪郭強調処理、ホワイトバランス処理などの画像処理を行い、撮影された画像の画像データを生成する。画像処理部３７によって生成された画像データは、圧縮処理が施されてバス３８を介してバッファメモリ３３に一時格納されると共に、カメラ筐体１ａの背面に設けられた液晶モニタ３９にスルー画として表示される。
【００３６】
ＣＰＵ３１にはシャッターボタン５、受光素子２２、電源ボタン４０、および鏡筒駆動部４１が接続されている。シャッターボタン５は、半押しされるとオートフォーカス機能を作動させ、鏡筒駆動部４１により光学レンズユニット２を移動させて焦点距離を自動調整し、全押しされると予め設定されたシャッター速度で図示しないシャッターを開かせ、被写体像を撮像部３５の撮像面３５ａに所定時間露光させて、被写体の撮影を行わせる。また、受光素子２２は、リモコン７から送信される操作信号７ａを受信すると、上述したシャッターボタン５を全押し操作した場合と同様の動作を行わせる。撮影された画像データは、記録Ｉ／Ｆ部４２を介して、図示しないスロットに着脱される、記憶媒体を構成するメモリカード４３に記録される。また、電源ボタン４０が操作されると、ＣＰＵ３１によって、図示しないＤＣ電源回路が制御されて、撮像部３５の撮像動作に必要な各電気回路に図示しない電池の電力が供給される。
【００３７】
また、ＣＰＵ３１には、ブラシ接点１３を介して撮影モードダイヤル６が接続されている。ブラシ接点１３に備えられた第１のブラシ１４およびＣＰＵ３１は上下位置検出手段を構成しており、第１のブラシ１４の接点が基板またはＦＰＣ１７上の上下位置検出パターンと接触しているか否かをＣＰＵ３１が検出することにより、撮影モードダイヤル６の突出位置および非突出位置が検出される。また、ブラシ接点１３に備えられた第２のブラシ１５およびＣＰＵ３１は回動位置検出手段を構成しており、第２のブラシ１５の接点と基板またはＦＰＣ１７上のダイヤル回転位置検出パターンとの接触をＣＰＵ３１が検出することにより、撮影モードダイヤル６の回動位置を検出する。カメラ筐体１ａ内には、回動位置検出手段によって撮影モードダイヤル６が所定の回動位置としてＲ（リモコン）位置に回動操作されていることが検出されると、撮影モードダイヤル６を突出位置に上げて導光部材２１の入射面２１ａをカメラ筐体１ａ表面から突出させる押上手段を構成する図示しないバネが備えられている。
【００３８】
また、ＣＰＵ３１は、ダイヤル機能切替手段を構成しており、上下位置検出手段によって撮影モードダイヤル６が非突出位置にあることが検出されると、撮影モードダイヤル６の回動位置に応じた装置機能、すなわち撮影シーンモードや基本露出モード等を選択させ、上下位置検出手段によって撮影モードダイヤル６が突出位置にあることが検出されると、撮影モードダイヤル６の回動位置に応じたリモコン機能を選択させる。このリモコン機能では、撮影モードダイヤル６が回動操作されて指標８ｂ（図３参照）に合わせられることで、受光素子２２がリモコン７から送信される操作信号７ａを受け付ける待機時間（１分，５分，１０分，１５分）が選択される。すなわち、撮影モードダイヤル６は、受光素子２２による操作信号７ａの受信を許容する待機時間を設定する待機時間設定手段を構成している。また、カメラ筐体１ａ内には、駆動手段として図示しないソレノイドがビス１６に連結されてビス１６の下方に備えられている。ソレノイドは、撮影モードダイヤル６によって設定された待機時間（１分，５分，１０分，１５分）が経過すると、ＣＰＵ３１の制御によって通電され、ビス１６を下方に引っ張って撮影モードダイヤル６を非突出位置に下げて、導光部材２１の入射面２１ａをカメラ筐体１ａ表面から突出させなくする。
【００３９】
このような本実施形態によるデジタルカメラ１によれば、リモコン７から無線送信された操作信号７ａは、撮影モードダイヤル６に設けられた導光部材２１により、カメラ筐体１ａ表面から突出する撮影モードダイヤル６の突出部分を介してカメラ筐体１ａ内部へ導かれ、受光素子２２によって受信される。このため、従来のデジタルカメラのように、リモコンから無線送信された操作信号を受信するためだけに、受信部を筐体表面に設けずに済む。従って、受信部を設けることによって生じる、カメラ筐体１ａ表面に配置することができる部材についての従来の制約はなくなり、カメラ筐体１ａ表面の限られたスペースを効率良く用いることができるようになる。
【００４０】
また、本実施形態によるデジタルカメラ１によれば、撮影モードダイヤル６の突出部分周囲にわたって設けられた入射面２１ａから入射した操作信号７ａは、伝播部２１ｃおよび伝播部２１ｄによってカメラ筐体１ａの内部に設けられた出射面２１ｂに導かれ、出射面２１ｂから受光素子２２へ出射される。このため、カメラ筐体１ａの周囲の任意の方向から入射される操作信号７ａが導光部材２１の入射面２１ａを介して伝播部２１ｃおよび伝播部２１ｄに導かれ、カメラ筐体１ａ内部の受光素子２２で受信される。従って、図１に示すように、撮影者を含む集合写真撮影時などにデジタルカメラ１の前面側から入射される操作信号７ａのみならず、マクロ撮影時などにデジタルカメラ１の背面側や左右両側から入射される操作信号７ａなども受信できる。
【００４１】
また、本実施形態によるデジタルカメラ１によれば、撮影モードダイヤル６が、導光部材２１の入射面２１ａをカメラ筐体１ａ表面から突出させる突出位置およびカメラ筐体１ａ表面から突出させない非突出位置に上下動自在に構成されているため、導光部材２１を上下動させて入射面２１ａを突出位置または非突出位置に移動させるだけで、リモコン７による操作を行うか否かが切り換えられる。従って、リモコン７による操作を行うか否かを切り換える切換手段を従来のように設けることなく、少ない機器構成要素でリモコン７の操作信号７ａを受信することができる。
【００４２】
また、本実施形態によるデジタルカメラ１によれば、回動位置検出手段によって撮影モードダイヤル６がＲ（リモコン）位置に回動操作されていることが検出されると、押上手段によって撮影モードダイヤル６が突出位置に上げられて、導光部材２１の入射面２１ａがカメラ筐体１ａ表面から突出させられる。このため、撮影モードダイヤル６を回動操作させるだけでリモコン７による操作が行える状態に切り換えられ、利便性が向上する。
【００４３】
また、本実施形態によるデジタルカメラ１によれば、上下位置検出手段によって撮影モードダイヤル６が非突出位置にあることが検出されると、ダイヤル機能切換手段によって撮影モードダイヤル６の回動位置に応じた装置機能が選択され、上下位置検出手段によって撮影モードダイヤル６が突出位置にあることが検出されると、ダイヤル機能切換手段によって撮影モードダイヤル６の回動位置に応じたリモコン機能が選択される。このため、撮影モードダイヤル６の突出位置または非突出位置に応じて撮影モードダイヤル６の機能が切り換えられ、撮影モードダイヤル６の付加価値を高めることができる。
【００４４】
また、本実施形態によるデジタルカメラ１によれば、待機時間設定手段によって設定された待機時間（１分，５分，１０分，１５分）が経過すると、駆動手段によって撮影モードダイヤル６が非突出位置に下げられ、導光部材２１の入射面２１ａがカメラ筐体１ａ表面から突出しなくなる。このため、撮影モードダイヤル６をリモコン７からの操作信号７ａを受信する突出位置からリモコンから７の操作信号７ａを受信しない非突出位置に戻す、撮影モードダイヤル６の戻し忘れを防止することができる。
【００４５】
なお、上記実施形態では、カメラ筐体１ａ表面から突出する突出部分を有する操作部材を撮影モードダイヤル６にした構成について説明したが、本発明はこれに限られることは無い。例えば、カメラ筐体１ａ表面から突出する突出部分を有する操作部材をシャッターボタン５にして構成してもよい。
【００４６】
図７は、図２に示すシャッターボタン５をこの変形例の構成にしてVII−VII線に沿って破断した矢視断面図である。なお、上記実施形態と同一部分には同一の符号を付してその説明を省略する。
【００４７】
シャッターボタン５は、軸Ｃを中心にカメラ筐体１ａ内部に向かってシャッターボタン軸５ａが延びている。シャッターボタン軸５ａの下端部は、基板またはＦＰＣ１７上に設けられたドームスイッチ５１と接触している。シャッターボタン５が押下操作されると、ドームスイッチ５１が押し込まれて導光部材２１が図示しない非突出位置になる。ＣＰＵ３１は、ドームスイッチ５１が押し込まれてＯＮになったことを検出すると、押し込み量に応じてオートフォーカス機能を作動させり、被写体の撮影を行わせたりする。シャッターボタン５の押下操作が解除されると、バネ５２の反発作用によってシャッターボタン軸５ａが押し戻される。これと共に、シャッターボタン押さえを構成するＥリング５３によってシャッターボタン軸５ａの周囲に設けられた導光部材２１が押し上げられて、シャッターボタン５は、同図に示す突出位置に戻される。導光部材２１は、上下動自在に構成されており、シャッターボタン５が押下操作されないでこの突出位置にあるときは、入射面２１ａがカメラ筐体１ａ表面から常時突出し、シャッターボタン５が押下操作されて非突出位置にあるときに限り入射面２１ａがカメラ筐体１ａ表面から突出しない。
【００４８】
この構成によれば、シャッターボタン５にリモコン７の操作信号７ａを受信する導光部材２１が設けられているため、リモコン７による撮像操作が常時行える。従って、リモコン７による操作を行うか否かを切り換える、例えば切換ボタンやメニュー操作項目などの切換手段を設ける必要がなくなり、少ない機器構成要素でリモコン７の操作信号７ａを受信することができる。
【００４９】
また、上記実施形態および変形例では、導光部材２１に周り止め部材２１ｆ（図５参照）を設けて導光部材２１の回動を防止し、出射面２１ｂと受光素子２２との対面位置がズレないようにした場合について説明したが、本発明はこれに限られることはない。例えば、導光部材２１に周り止め部材２１ｆを設けることなく、導光部材２１の受光素子２２と同じ高さの全外周を透過面または半透過面からなる出射面２１ｂとし、導光部材２１が回動しても受光素子２２に出射面２１ｂが常に対面しているように構成してもよい。このような構成においては、受光素子２２に出射される操作信号７ａの信号成分は弱まるが、上記実施形態および変形例と同様の作用効果が奏される。
【００５０】
また、上記実施形態および変形例では、導光部材２１を円筒状に形成した場合について説明したが、本発明はこれに限られることはない。例えば、カメラ筐体１ａ内部の構造に応じて円筒状の一部を切り欠いて構成してもよい。この場合、例えば、カメラ筐体１ａ内部のペンタプリズム部を避けるために円筒状の一部を切り欠いて偏平になった部分に、例えば、カメラ筐体１ａの内壁などを当接させることにより、周り止め部材２１ｆを設けずに導光部材２１を回動しないように固定することができる。
【００５１】
また、上記実施形態および変形例では、リモコン７が一般的にデジタルカメラ１の前面側の遠方で操作されることが多いため、入射面２１ａから出射面２１ｂまでの光路が短くなるように、受光素子２２をカメラ筐体１ａ内部の前面側に１つ設けた場合について説明したが、本発明はこれに限られることはない。例えば、リモコン７による操作はデジタルカメラ１の後面側で行われることもあるため、カメラ筐体１ａ内部の前面側および後面側の２箇所に受光素子２２を設けるようにしてもよい。
【００５２】
また、上記実施形態において、導光部材２１と接するダイヤル部材１１の傘状頭部の裏面側端部に面取り加工を施してもよい。この面取り加工を施すことにより、操作信号７ａが入射面２１ａに入射することができる角度が拡がり、入射し易くなるという作用効果が奏される。
【００５３】
また、上記実施形態では、撮影モードダイヤル６を上下動自在に構成した場合について説明したが、本発明はこれに限られることはない。例えば、撮影モードダイヤル６を上下動自在に構成せず、導光部材２１の入射面２１ａをカメラ筐体１ａ表面から常時突出させた状態にしてもよい。
【産業上の利用可能性】
【００５４】
上記の実施形態においては、本発明による撮像装置をデジタルカメラに適用した場合について説明したが、筐体表面から突出する突出部分を有する操作部材を備えたビデオカメラなどの他の撮像装置に本発明を適用することも可能である。このような撮像装置に本発明を適用した場合においても、上記の実施形態と同様の作用効果が奏される。
【符号の説明】
【００５５】
１…デジタルカメラ
１ａ…カメラ筐体
５…シャッターボタン
６…撮影モードダイヤル
７…リモコン
７ａ…操作信号
１４…第１のブラシ
１５…第２のブラシ
１７…基板またはＦＰＣ
２１…導光部材
２１ａ…入射面
２１ｂ…出射面
２１ｃ，２１ｄ…伝播部
２２…受光素子
３１…ＣＰＵ
【図１】
2012022058.tif 000003
【図２】
2012022058.tif 000004
【図３】
2012022058.tif 000005
【図４】
2012022058.tif 000006
【図５】
2012022058.tif 000007
【図６】
2012022058.tif 000008
【図７】
2012022058.tif 000009